【手続補正書】
【提出日】平成21年9月17日(2009.9.17)
【手続補正１】
【補正対象書類名】明細書
【補正対象項目名】特許請求の範囲
【補正方法】変更
【補正の内容】
【特許請求の範囲】
【請求項１】  前部腰領域、後部腰領域、前記両腰領域の間に延在しかつそれらを結合する股領域、１対の縦方向に相対する端縁部、及び、１対の横方向に相対する側縁部を形成する吸収性シャーシを含む予め固定された使い捨て吸収性物品であって、
ａ）前記吸収性シャーシの前記腰領域の１つに位置し、腰縁部、前記吸収性シャーシの前記側縁部を越えて横方向に位置する１対の横方向に相対する外側縁部、及び、前記腰縁部から縦方向内向きに位置する内側縁部を形成する少なくとも１つの延伸パネルと、
ｂ）前記延伸パネルの前記横方向に相対する外側縁部上に位置し、前記前部腰領域を前記後部腰領域に解除可能に係合するように前記吸収性シャーシの反対側の腰領域に解除可能に予め固定されることにより、前記予め固定された使い捨て吸収性物品を形成する１対の一次留め具とを更に含むことを特徴とする予め固定された使い捨て吸収性物品。
【請求項２】  前記１つの腰領域上の前記一次留め具の横方向内向きに位置し、前記予め固定された吸収性物品を予め固定された状態に維持するのを補助するために、前記１つの腰領域の重複部分を前記反対側の腰領域に解除可能に結合する１対の受動的側部結合を更に含むことを特徴とする請求項１に記載の予め固定された吸収性物品。
【請求項３】  前記受動的側部結合は、前記予め固定された吸収性物品を前記予め固定された状態に維持するのを補助するために、前記１つの腰領域の前記重複部分を前記反対側の腰領域の前記側縁部に解除可能に結合することを特徴とする請求項２に記載の予め固定された吸収性物品。
【請求項４】  前記受動的側部結合は、前記１つの腰領域上の前記一次留め具から横方向内向きに少なくとも約１．０センチメートルの距離に位置することを特徴とする請求項２に記載の予め固定された吸収性物品。
【請求項５】  前記１つの腰領域の前記重複部分は、少なくとも約２．０センチメートルの重複距離を形成することを特徴とする請求項２に記載の予め固定された吸収性物品。
【請求項６】  前記受動的側部結合は、少なくとも１つの点結合を含むことを特徴とする請求項２に記載の予め固定された吸収性物品。
【請求項７】  前記受動的側部結合は、少なくとも１つの点結合を含み、前記点結合は、超音波点結合であることを特徴とする請求項２に記載の予め固定された吸収性物品。
【請求項８】  前記受動的側部結合は、約１５００グラムを超えない剥離強度を形成することを特徴とする請求項２に記載の予め固定された吸収性物品。
【請求項９】  前記受動的側部結合は、前記１つの腰領域の前記吸収性物品の身体に向く表面を、前記反対側の腰領域の前記吸収性物品の衣類に向く表面に結合することを特徴とする請求項２に記載の予め固定された吸収性物品。
【請求項１０】  前記延伸パネルは、
ａ）中央ブリッジパネルと、
ｂ）前記ブリッジパネルの相対する横方向縁部に結合され、前記吸収性シャーシの前記側縁部を越えて横方向に延在する１対の横方向に相対する側部パネルとを含むことを特徴とする請求項２に記載の予め固定された吸収性物品。
【請求項１１】  前記延伸パネルの前記側部パネルは、実質的に非エラストマー性であることを特徴とする請求項１０に記載の予め固定された吸収性物品。
【請求項１２】  前記ブリッジパネルは、前記吸収性シャーシの幅の少なくとも約１０パーセントである横方向のブリッジパネル幅を形成することを特徴とする請求項１０に記載の予め固定された吸収性物品。
【請求項１３】  前記吸収性物品は、前記吸収性シャーシの前記腰領域の各々に前記延伸パネルの１つを含むことを特徴とする請求項１ないし１２のいずれかに記載の予め固定された吸収性物品。
【請求項１４】  前記延伸パネルは、潜在的弾性材料を含むことを特徴とする請求項１ないし１２のいずれかに記載の予め固定された吸収性物品。
【請求項１５】  前記延伸パネルは、予め張力をかけた形態で前記延伸パネルに加えられる少なくとも１つの弾性部材を含むことを特徴とする請求項１ないし１２のいずれかに記載の予め固定された吸収性物品。
【請求項１６】  前記延伸パネルは、前記予め固定された使い捨て吸収性物品を着用者の腰の周りに配置するのを補助するために、横方向に少なくとも約３０パーセント、より好適には少なくとも約５０パーセント伸長するように設計されることを特徴とする請求項１ないし１２のいずれかに記載の予め固定された吸収性物品。
【請求項１７】  前記一次留め具は、フック・ループ型の留め具であることを特徴とする請求項１ないし１２のいずれかに記載の予め固定された吸収性物品。
【請求項１８】  前記反対側の腰領域上に位置し、前記一次留め具が解除可能に係合される少なくとも１つの取付パネルを更に含むことを特徴とする請求項１ないし１２のいずれかに記載の予め固定された吸収性物品。
【請求項１９】  前記延伸パネルの前記内側縁部は、直線状または曲線状であることを特徴とする請求項１ないし１２のいずれかに記載の予め固定された吸収性物品。
【請求項２０】  前記吸収性シャーシは、ネッキングされた不織材料を有する外側カバーを含むことを特徴とする請求項１ないし１２のいずれかに記載の予め固定された吸収性物品。
【請求項２１】  前記延伸パネルは、前記吸収性物品の身体に向く表面または衣類に向く表面に取り付けられることを特徴とする請求項１ないし１２のいずれかに記載の予め固定された吸収性物品。
【請求項２２】  前記吸収性シャーシは、外側カバー及び身体側ライナを含み、前記延伸パネルは、前記外側カバーと前記身体側ライナとの間に組み込まれることを特徴とする請求項１ないし１２のいずれかに記載の予め固定された吸収性物品。
【請求項２３】  前記延伸パネルは、前記予め固定された使い捨て吸収性物品が着用者の腰回り上に着用された後で前記腰領域を着用者の身体に更に適合させるために前記反対側の腰領域に解除可能に係合するように形成された少なくとも１つの二次留め具タブを準備するために、前記延伸パネルの横方向に相対する２つの側部のうちの少なくとも一方の横方向に向く１対の線に沿って穿孔されることを特徴とする請求項１ないし１２のいずれかに記載の予め固定された吸収性物品。
【請求項２４】  前記二次留め具タブは、前記延伸パネルの横方向の全幅の少なくとも約５パーセントである横方向長さを形成することを特徴とする請求項２３に記載の予め固定された吸収性物品。
【請求項２５】  前記一次留め具及び前記少なくとも１つの二次留め具タブの両方は、フック・ループ型の留め具であることを特徴とする請求項２３に記載の予め固定された吸収性物品。
【請求項２６】  前記延伸パネルの前記内側縁部は、前記吸収性シャーシに実質的に完全に取り付けられることを特徴とする請求項１ないし１２及び２４ないし２５のいずれかに記載の予め固定された吸収性物品。
【請求項２７】  前記延伸パネルは、前記吸収性シャーシの前記後部腰領域に位置し、前記一次留め具は、前記吸収性シャーシの前記前部腰領域に解除可能に係合するように形成されることを特徴とする請求項１ないし１２及び２４ないし２５のいずれかに記載の予め固定された吸収性物品。
【請求項２８】  容器及び複数の前記予め固定された使い捨て吸収性物品を含む請求項１ないし２７のいずれかに記載の予め固定された吸収性物品のパッケージ。